(57)【要約】【課題】浮沈子玩具の興趣性をより高めること。【解決手段】浮沈子玩具１００は、液体が充填されると共に密閉された収容部１と、操作により収容部内の液体にかかる圧力を変化させる圧力操作部２と、収容部に収容され、圧力操作部による収容部内の圧力の変化により液体中を浮沈する浮沈子３と、浮沈子に接続され、圧力操作部の操作による浮沈子の沈降時に外側に開き、浮沈子の浮上時及び静止時に内側に閉じるように構成された捕捉部５と、収容部に収容され、液体中で沈むと共に、捕捉部により捕捉された際に浮沈子に引かれて浮上する被捕捉体４と、を備える。【選択図】図１
2012000317.tif 000002
【特許請求の範囲】
【請求項１】
液体が充填されると共に密閉された収容部と、
操作により前記収容部内の液体にかかる圧力を変化させる圧力操作部と、
前記収容部に収容され、前記圧力操作部による前記収容部内の圧力の変化により液体中を浮沈する浮沈子と、
前記浮沈子に接続され、前記圧力操作部の操作による前記浮沈子の沈降時に外側に開き、前記浮沈子の浮上時及び静止時に内側に閉じるように構成された捕捉部と、
前記収容部に収容され、液体中で沈むと共に、前記捕捉部により捕捉された際に前記浮沈子に引かれて浮上する被捕捉体と、
を備えることを特徴とする浮沈子玩具。
【請求項２】
前記捕捉部は、前記浮沈子との接続部と先端部との間の部分が外側に張り出すように形成されていることを特徴とする請求項１に記載の浮沈子玩具。
【請求項３】
前記捕捉部は、
前記浮沈子との接続部から外側に延びる第１のアーム部と、
前記第１のアーム部に接続され、前記第１のアーム部との接続部から内側に延びる第２のアーム部と、を備え、
前記第１のアーム部は、前記第２のアーム部よりも表面積が大きいことを特徴とする請求項１又は２に記載の浮沈子玩具。
【請求項４】
前記捕捉部が閉じた状態において、
前記第２のアーム部は、先端部に向かうにつれて上方に傾斜していることを特徴とする請求項３に記載の浮沈子玩具。
【請求項５】
前記捕捉部は、前記浮沈子に複数接続され、前記圧力操作部の操作による前記浮沈子の沈降時に互いに外側に開き、前記浮沈子の浮上時及び静止時に互いに内側に閉じるように構成されていることを特徴とする請求項１〜４のいずれか一項に記載の浮沈子玩具。
【請求項６】
各捕捉部が閉じた状態において、
各捕捉部の前記第２のアーム部は、他の第２のアーム部に水平方向に重なり合うことを特徴とする請求項５に記載の浮沈子玩具。
【発明の詳細な説明】
【技術分野】
【０００１】
本発明は、浮沈子の原理を用いた浮沈子玩具に関する。
【背景技術】
【０００２】
浮沈子を用いた玩具が知られている。この玩具は、ペットボトル等の変形可能な容器に水を充填し、その中に少しの空気が入った浮沈子を浮かべ、密閉したものである。そして、ペットボトルを押さえると、ペットボトルの変形により内部の水にかかる圧力が増加し、浮沈子の空気が圧縮される。これにより、浮沈子の浮力が小さくなり、浮いていた浮沈子が沈むというものである（例えば、特許文献１参照）。
このような浮沈子の原理を利用した玩具として、水を入れた容器の底に予め物を沈めておき、浮沈子にフックを取り付け、浮沈子を沈めて底の物を釣り上げて遊ぶ玩具が知られている。
【先行技術文献】
【特許文献】
【０００３】
【特許文献１】特開２００３−１９０６６０号公報
【発明の概要】
【発明が解決しようとする課題】
【０００４】
しかし、上記の玩具では、浮沈子は単に浮き沈みを繰り返すだけであり、浮沈子が沈んで浮き上がる際にフックに物が引っ掛かるか否かを楽しむことができるにすぎず、興趣性に乏しいという問題があった。
【０００５】
そこで、本発明は、上記課題を解決するためになされたものであり、より興趣性の高い浮沈子玩具を提供することを目的とする。
【課題を解決するための手段】
【０００６】
請求項１に記載の発明は、浮沈子玩具において、
液体が充填されると共に密閉された収容部と、
操作により前記収容部内の液体にかかる圧力を変化させる圧力操作部と、
前記収容部に収容され、前記圧力操作部による前記収容部内の圧力の変化により液体中を浮沈する浮沈子と、
前記浮沈子に接続され、前記圧力操作部の操作による前記浮沈子の沈降時に外側に開き、前記浮沈子の浮上時及び静止時に内側に閉じるように構成された捕捉部と、
前記収容部に収容され、液体中で沈むと共に、前記捕捉部により捕捉された際に前記浮沈子に引かれて浮上する被捕捉体と、
を備えることを特徴とする。
【０００７】
請求項２に記載の発明は、請求項１に記載の浮沈子玩具において、
前記捕捉部は、前記浮沈子との接続部と先端部との間の部分が外側に張り出すように形成されていることを特徴とする。
【０００８】
請求項３に記載の発明は、請求項１又は２に記載の浮沈子玩具において、
前記捕捉部は、
前記浮沈子との接続部から外側に延びる第１のアーム部と、
前記第１のアーム部に接続され、前記第１のアーム部との接続部から内側に延びる第２のアーム部と、を備え、
前記第１のアーム部は、前記第２のアーム部よりも表面積が大きいことを特徴とする。
【０００９】
請求項４に記載の発明は、請求項３に記載の浮沈子玩具において、
前記捕捉部が閉じた状態において、
前記第２のアーム部は、先端部に向かうにつれて上方に傾斜していることを特徴とする。
【００１０】
請求項５に記載の発明は、請求項１〜４のいずれか一項に記載の浮沈子玩具において、
前記捕捉部は、前記浮沈子に複数接続され、前記圧力操作部の操作による前記浮沈子の沈降時に互いに外側に開き、前記浮沈子の浮上時及び静止時に互いに内側に閉じるように構成されていることを特徴とする。
【００１１】
請求項６に記載の発明は、請求項５に記載の浮沈子玩具において、
各捕捉部が閉じた状態において、
各捕捉部の前記第２のアーム部は、他の第２のアーム部に水平方向に重なり合うことを特徴とする。
【発明の効果】
【００１２】
請求項１に記載の発明によれば、浮沈子には捕捉部が設けられているので、圧力操作部を操作することで、浮沈子の沈降時には捕捉部が外側に開き、浮沈子の浮上時及び静止時には捕捉部が内側に閉じる動作を楽しむことができる。
これにより、浮沈子が浮き沈みするだけでなく、沈んだ際に捕捉部が被捕捉体を掴もうとする動作を楽しむことができるようになり、従来の浮沈子玩具に比べて興趣性を高めることができる。
【００１３】
請求項２に記載の発明によれば、浮沈子との接続部と先端部との間の部分が外側に張り出すように形成されているので、浮沈子が沈む際には、その張り出した部分で液体の抵抗を受け、この抵抗力は捕捉部を開く力とすることができる。一方、浮沈子が浮かぶ際には、その張り出した部分で液体の抵抗を受け、この抵抗力は捕捉部を閉じる力とすることができる。
【００１４】
請求項３に記載の発明によれば、第１のアーム部は、第２のアーム部よりも表面積が大きいので、浮沈子が沈む際の捕捉部の開きやすさ、浮かぶ際の捕捉部の閉じやすさをより高めることができる。
【００１５】
請求項４に記載の発明によれば、捕捉部が閉じた状態においては、第２のアーム部は、先端部に向かうにつれて上方に傾斜しているので、捕捉した被捕捉体が第２のアーム部の先端部から落下しにくくなる。
よって、捕捉部による被捕捉体の捕捉をより確実にすることができる。
【００１６】
請求項５に記載の発明によれば、捕捉部を複数備えることにより、捕捉部が単体で備えられている場合に比べて被捕捉体をより確実に捕捉することができる。
また、複数の捕捉部が連動して動作する様子を楽しむことができる。
【００１７】
請求項６に記載の発明によれば、各捕捉部が閉じた状態においては、第２のアーム部は、他の第２のアーム部に水平方向に重なり合っているので、被捕捉体を複数の第２のアーム部で支持することができ、捕捉した被捕捉体が第２のアーム部の先端部から落下しにくくなる。
よって、捕捉部による被捕捉体の捕捉をより確実にすることができる。
【図面の簡単な説明】
【００１８】
【図１】浮沈子玩具の正面図。
【図２】圧力操作部を説明する浮沈子玩具の側面図。
【図３】（ａ）は捕捉部が開いた状態を示す浮沈子及び捕捉部の正面図、（ｂ）は捕捉部が閉じた状態を示す浮沈子及び捕捉部の正面図。
【図４】捕捉部により捕捉される被捕捉体の正面図。
【図５】（ａ）は捕捉部の先端部の斜視図、（ｂ）は二つの捕捉部が閉じた状態の底面図、（ｃ）は二つの捕捉部が閉じた状態の正面図。
【図６】（ａ）は他の形態における捕捉部が開いた状態を示す浮沈子及び捕捉部の正面図、（ｂ）は他の形態における捕捉部が閉じた状態を示す浮沈子及び捕捉部の正面図。
【発明を実施するための形態】
【００１９】
図１〜図５に示すように、浮沈子玩具１００は、浮沈子の原理を用いた玩具である。ここで、浮沈子の原理について説明すると、容器に充填された水（あるいはその他の液体）に空気を含んだ浮沈子がその浮力により浮いた状態にある場合に、その容器に外力を加えて水にかかる圧力を増加させると、押された水が浮沈子の空気を圧縮して空気の体積が減少し、その結果、浮沈子の浮力が減少し、浮沈子が容器の底部に沈む。
【００２０】
＜浮沈子玩具の構成＞
図１〜図５に示すように、浮沈子玩具１００は、収容部１と、圧力操作部２と、浮沈子３と、被捕捉体４と、捕捉部５とを備えている。
【００２１】
（収容部）
図１に示すように、収容部１は、水槽であり、中に液体、例えば、水が充填されると共に密閉されている。ここで、収容部１に充填される液体は、水に限らず、オイル等であってもよい。また、水についても、海をイメージして青色に着色したりしてもよい。
収容部１は、透明なアクリル等で形成され、内部の浮沈子３や被捕捉体４を視認できるようになっている。
収容部１は、その底部が土台１１上に設けられており、上端には収容部１内を密閉するための蓋部１２が設けられている。
収容部１内には、圧力操作部２により収容部１内に引き起こされる水流により浮沈子３の浮沈に影響を与えないようにするための壁部１３が立設されている。
【００２２】
（圧力操作部）
圧力操作部２は、操作により収容部１内の水にかかる圧力を変化させるものである。
図２に示すように、圧力操作部２は、操作ボタン２１と、蛇腹ポンプ２２と、連通管２３とを備えている。
操作ボタン２１は、土台１１の表面から突出するように設けられ、土台１１の内部に向けて押し込み可能に設けられている。操作ボタン２１は、バネ等の付勢部材により、常に土台１１の表面から突出しようとする方向に付勢されている。
蛇腹ポンプ２２は、操作ボタン２１の先端に設けられている。蛇腹ポンプ２２は、収縮自在であり、収縮することで体積が変化し、内部にある水を連通管２３に向けて押し出す。
連通管２３は、一端が蛇腹ポンプ２２に接続され、他端が収容部１の底部に連通されている。連通管２３と収容部１との連通位置は、収容部１の端付近であり、浮沈子３や被捕捉体４が設けられる領域から離されている。さらに、連通管２３からの水の流入口と浮沈子３や被捕捉体４が設けられる領域とが収容部１内の壁部１３により分けられている。
これにより、操作ボタン２１を土台１１の内部に向けて押し込むと、蛇腹ポンプ２２は操作ボタン２１に押されて収縮し、蛇腹ポンプ２２内の水は連通管２３に押し出される。押し出された水は連通管２３を通って収容部１内に流入する。収容部１内に水が流入することで収容部１内の水にかかる圧力が上昇する。
【００２３】
（浮沈子）
図３に示すように、浮沈子３は、収容部１に収容され、圧力操作部２による収容部１内の圧力の変化により水中を浮沈する。浮沈子３は、潜水艦を模して形成され、収容部１に充填された水より比重の大きな材料で形成されている。浮沈子３の一部には、空気が含まれており、水の入った収容部１に入れて何もしなければ、浮沈子３にかかる重力よりも浮力の方が大きいので、浮いた状態を維持する。しかし、圧力操作部２の操作により、収容部１内の水にかかる圧力が増加すると、浮沈子３に含まれる空気の体積が減って浮力が小さくなり、浮沈子３にかかる重力が浮力よりも大きくなるので、収容部１の底部に向けて沈む。
浮沈子３は、直下に沈降できるよう、重心となる位置におもり等の姿勢安定部材を設けておくことが好ましい。
【００２４】
（被捕捉体）
図４に示すように、被捕捉体４は、収容部１に収容され、水中に沈んでいる。被捕捉体４は、宝箱を模して形成され、収容部１に充填された水より比重の大きな材料で形成されている。被捕捉体４は、収容部１内の水に圧力を加えない状態で浮沈子３にかかる浮力で引き上げられるような重さとなるように形成されている。
すなわち、収容部１内の水に外部から圧力を加えていない状態では、浮沈子３と被捕捉体４と捕捉部５にかかる浮力の合計値が浮沈子３と被捕捉体４と捕捉部５にかかる重力の合計値よりも大きくなり、収容部１内の水に外部から圧力を加えた状態では、浮沈子３と被捕捉体４と捕捉部５にかかる浮力の合計値が浮沈子３と被捕捉体４と捕捉部５にかかる重力の合計値よりも小さくなるような条件を満たすように被捕捉体４が形成されている。
従って、被捕捉体４は、収容部１内の水に圧力を加えない状態では水中に沈んでおり、収容部１内の水に圧力を加えた状態で捕捉部５により係止された後、収容部１内の水に圧力を加えない状態にすれば、浮沈子３にかかる浮力で浮沈子３と共に浮上する。
被捕捉体４は、本体４１と係止部４２とを備えている。係止部４２は、捕捉部５で捕捉するための部材であって、湾曲形成され、本体４１と係止部４２とで閉じられた空間が作られる。この部分に捕捉部５を通すことで、捕捉部５は被捕捉体４を落とすことなく引き上げることができる。
【００２５】
（捕捉部）
図３、図５に示すように、捕捉部５は、互いに対向するように浮沈子３に二つ接続されている。捕捉部５は、圧力操作部２の操作による浮沈子３の沈降時に互いに外側に開き、浮沈子３の浮上時及び静止時に互いに内側に閉じるように構成されている。
捕捉部５は、第１のアーム部５１と、第２のアーム部５２とを備えている。
第１のアーム部５１は、浮沈子３との接続部から外側（捕捉部５が開く方向）に延びるように形成されている。
第２のアーム部５２は、第１のアーム部５１の先端に接続され、第１のアーム部５１との接続部５ａから内側（捕捉部５が閉じる方向）に延びるように形成されている。
すなわち、捕捉部５は、浮沈子３との接続部（基端部）と先端部との間の部分（図３においては第１のアーム部５１と第２のアーム部５２との接続部５ａ）が最も外側に張り出すように形成されている。
【００２６】
図５（ａ）（ｂ）に示すように、第２のアーム部５２は、被捕捉体４を保持する保持部５２ａの形状が相補うような形状に形成されており、二つの捕捉部５が閉じた状態において、一方の第２のアーム部５２は、他方の第２のアーム部５２に水平方向に重なり合うようになっている。より具体的には、保持部５２ａは、第２のアーム部５２における他の部分の幅のほぼ半分に形成され、二つの捕捉部５が閉じた状態において、保持部５２ａ同士が重なり合っているときの幅と第２のアーム部５２の他の部分の幅とがほぼ同じとなるように形成されている。
このように、第２のアーム部５２における保持部５２ａを重ね合わせる形状としたのは、被捕捉体４を捕捉する場合に二つの第２のアーム部５２で被捕捉体４をそれぞれ逆方向から支持し、被捕捉体４の逃げ道をなくすことで捕捉をより確実にするためである。
【００２７】
図３（ｂ）、図５（ｃ）に示すように、二つの捕捉部５が閉じた状態においては、第２のアーム部５２は、先端部に向かうにつれて上方に傾斜するようになっている。これは、第２のアーム部５２の先端部から被捕捉体４を遠ざけるように滑らせることで、第２のアーム部５２から被捕捉体４が外れるのを抑制するためである。
【００２８】
第１のアーム部５１は、第２のアーム部５２よりも表面積が大きくなるように形成されている。
これは、浮沈子３の沈降時には、下方から上方に向けて水の抵抗を受けることになるため、外側（捕捉部が開く方向）に向けて延びるように形成されている第１のアーム部５１にかかる力を内側（捕捉部が閉じる方向）に向けて延びるように形成されている第２のアーム部５２にかかる力よりも大きくすることで、水の抵抗を利用して捕捉部５を開かせるためである。
また、浮沈子３の浮上時には、上方から下方に向けて水の抵抗を受けることになるため、外側（捕捉部が開く方向）に向けて延びるように形成されている第１のアーム部５１にかかる力を内側（捕捉部が閉じる方向）に向けて延びるように形成されている第２のアーム部５２にかかる力よりも大きくすることで、水の抵抗を利用して捕捉部５を閉じさせるためである。
【００２９】
＜浮沈子玩具での遊び方＞
浮沈子玩具１００で遊ぶ際には、準備として、収容部１に水、捕捉部５を取り付けた浮沈子３、被捕捉体４を入れ、蓋部１２で収容部１内を密封する。
この状態では、浮沈子３にかかる浮力は、浮沈子３及び捕捉部５にかかる重力よりも大きいので、収容部１の水面付近まで浮上しており、その位置で静止している。このとき、二つの捕捉部５は、自身の重力により下方に下がるので、閉じた状態となっている。
収容部１の底部に配置された被捕捉体４を釣り上げて遊ぶ際には、操作ボタン２１を押す。操作ボタン２１が押されると、蛇腹ポンプ２２が収縮し、蛇腹ポンプ２２内部の水が外に押し出される。押し出された水は連通管２３を通って収容部１に進入する。このとき、収容部１には壁部１３が設けられているので、収容部１に進入した水が浮沈子３の沈降を阻害することはない。
【００３０】
連通管２３から水が進入してくることで、収容部１内の水にかかる圧力は高まる。水圧の増加により、浮沈子３内の空気は圧縮される。浮沈子３内の空気が圧縮されることで、浮沈子３にかかる浮力は減少する。これにより、浮沈子３及び捕捉部５にかかる重力が浮沈子３にかかる浮力よりも大きくなり、浮沈子３は捕捉部５と共に収容部１の底部に向けて沈降する。
浮沈子３の沈降の際、捕捉部５は下方から上方に向けて水の抵抗を受けることになり、外側（捕捉部５が開く方向）に向けて延びるように形成されている第１のアーム部５１にかかる力は、内側（捕捉部５が閉じる方向）に向けて延びるように形成されている第２のアーム部５２にかかる力よりも大きいので、水の抵抗は第１のアーム部５１により大きくかかる。これにより、捕捉部５は開く方向に力がかかり、捕捉部５を開かせる。
浮沈子３が収容部１の底部に到達したとき、捕捉部５は開いた状態となっている。この状態で操作ボタン２１の押し込みを解放すると、操作ボタン２１はバネの付勢力により元の位置に戻るため、収縮していた蛇腹ポンプ２２も元の状態に戻る。蛇腹ポンプ２２が元の状態に戻ることで、蛇腹ポンプ２２内には収容部１から連通管２３を介して水が流れ込む。
【００３１】
収容部１から連通管２３に水が進入してくることで、収容部１内の水にかかる圧力は低くなる。水圧の減少により、浮沈子３内の圧縮された空気は元の体積に戻る。浮沈子３内の空気が元の体積に戻ることで、浮沈子３にかかる浮力も元に戻る。これにより、浮沈子３にかかる浮力が浮沈子３及び捕捉部５にかかる重力よりも大きくなり、浮沈子３は捕捉部５と共に収容部１の水面に向けて浮上する。
浮沈子３の浮上の際、捕捉部５は上方から下方に向けて水の抵抗を受けることになり、外側（捕捉部５が開く方向）に向けて延びるように形成されている第１のアーム部５１にかかる力は、内側（捕捉部５が閉じる方向）に向けて延びるように形成されている第２のアーム部５２にかかる力よりも大きいので、水の抵抗は第１のアーム部５１により大きくかかる。これにより、捕捉部５は閉じる方向に力がかかり、捕捉部５を閉じさせる。
【００３２】
捕捉部５が閉じる際に、第２のアーム部５２の先端部が被捕捉体４の係止部４２に係止されていれば、捕捉部５は被捕捉体４を捕らえることができ、浮沈子３の浮上と共に被捕捉体４も捕捉部５に釣り上げられる。一方、捕捉部５が閉じる際に第２のアーム部５２の先端部が被捕捉体４の係止部４２に係止されなければ、捕捉部５は被捕捉体４を捕らえることができず、浮沈子３と捕捉部５のみが浮上する。
以上のようにして、ユーザが操作ボタン２１の押し込みと解放を行うことで、海底に眠る財宝探しゲームとして遊ぶことができる。
【００３３】
＜作用・効果＞
以上のように、浮沈子玩具１００によれば、浮沈子３には二つの捕捉部５が設けられているので、圧力操作部２を操作することで、浮沈子３の沈降時には捕捉部５が互いに外側に開き、浮沈子３の浮上時及び静止時には捕捉部５が互いに内側に閉じる動作を楽しむことができる。
これにより、浮沈子３が浮き沈みするだけでなく、沈んだ際に捕捉部５が被捕捉体４を掴もうとする動作を楽しむことができるようになり、従来の浮沈子玩具に比べて興趣性を高めることができる。
また、捕捉部５を複数備えることにより、捕捉部５が単体で備えられている場合に比べて被捕捉体４をより確実に捕捉することができる。
また、複数の捕捉部５が連動して動作する様子を楽しむことができる。
【００３４】
また、第１のアーム部５１と第２のアーム部５２との接続部５ａが外側に張り出すように形成されているので、浮沈子３が沈む際には、各アーム部５１，５２が面全体で水の抵抗を受け、この抵抗力は捕捉部５を開く力とすることができる。一方、浮沈子３が浮かぶ際には、各アーム部５１，５２が面全体で水の抵抗を受け、この抵抗力は捕捉部５を閉じる力とすることができる。
【００３５】
また、第１のアーム部５１は、第２のアーム部５２よりも表面積が大きいので、浮沈子３が沈む際の捕捉部５の開きやすさ、浮かぶ際の捕捉部５の閉じやすさをより高めることができる。
【００３６】
また、各捕捉部５が閉じた状態においては、第２のアーム部５２は、先端部に向かうにつれて上方に傾斜しているので、捕捉した被捕捉体４が第２のアーム部５２の先端部から落下しにくくなる。
よって、捕捉部５による被捕捉体４の捕捉をより確実にすることができる。
【００３７】
また、各捕捉部５が閉じた状態においては、第２のアーム部５２は、他の第２のアーム部５２に水平方向に重なり合っているので、被捕捉体４を二つの第２のアーム部５２で支持することができ、捕捉した被捕捉体４が第２のアーム部５２の先端部から落下しにくくなる。
よって、捕捉部５による被捕捉体４の捕捉をより確実にすることができる。
【００３８】
＜その他＞
なお、本発明は、上記実施形態に限られるものではなく、発明の本質的部分を変更しない範囲内で自由に設計変更が可能である。
例えば、上記実施形態においては、捕捉部は互いに対向するように二つ（一対）備えられているが、一つであっても良い。また、捕捉部は二つに限らず、三つ以上の複数備えていても良い。
また、図６に示すように、捕捉部７を一つのアーム部で形成し、かかるアーム部を湾曲形成しても良い。このような構成とした場合でも、上記実施形態と同様の作用、効果を奏することができる。
また、図６に示すように、二つの捕捉部７は、閉じた状態において水平方向に重ならなくても、先端部同士が当接するような構成としても良い。この場合には、捕捉部７の先端部同士が浮沈子の浮上途中に開くことがないよう、捕捉部７にかかる水の抵抗が大きくなるような形状、例えば、捕捉部７の幅を広くして表面積を増やす等の対策を施せば良い。
また、図６に示すように、浮沈子８の形態も自由に変更可能であり、浮沈子８と被捕捉体９とを観念的に関連づけて双方を作成することも可能である。
【符号の説明】
【００３９】
１  収容部
２  圧力操作部
３  浮沈子
４  被捕捉体
５  捕捉部
５ａ  接続部
７  捕捉部
８  浮沈子
９  被捕捉体
５１  第１のアーム部
５２  第２のアーム部
１００  浮沈子玩具
【図１】
2012000317.tif 000003
【図２】
2012000317.tif 000004
【図３】
2012000317.tif 000005
【図４】
2012000317.tif 000006
【図５】
2012000317.tif 000007
【図６】
2012000317.tif 000008